(57)【特許請求の範囲】
【請求項１】
端子金具と、該端子金具を収容保持するハウジングと、を備え、
前記端子金具は、外周部に、前記ハウジングへの挿入方向と直交する方向に凹んだ凹部を備え、
前記ハウジングは、前記端子金具が挿入される端子収容孔と、端子係止ランスと、を備え、
前記端子係止ランスは、前記端子収容孔に臨む位置において前記端子収容孔に沿って延設された弾性片と、前記端子収容孔内に突出するように前記弾性片の先端に突設された係止突起と、を備えて、
前記端子金具の前記端子収容孔への挿入長が規定値に達した時に、前記係止突起が前記凹部に係合することで、前記端子金具の挿入方向とは逆方向への移動が規制されるコネクタであって、
前記弾性片は、前記端子収容孔に面すると共に前記端子金具の挿入方向と平行な平面である一外周面を備え、
前記弾性片の一外周面には、前記端子金具の外周部に摺接して、前記端子金具を前記端子係止ランスに対向する前記端子収容孔の内壁面に押圧する端子押圧突起が備えられ、
前記端子押圧突起は、前記端子金具の挿入方向に沿って前記係止突起と接続するように延設された凸条であり、
前記弾性片の一外周面からの前記端子押圧突起の突出高さは、前記係止突起に近づくにつれて徐々に大きくなり、前記係止突起との接続箇所での前記端子押圧突起の突出高さは、前記弾性片の一外周面からの前記係止突起の突出高さより小さいことを特徴とするコネクタ。
【発明の詳細な説明】
【技術分野】
【０００１】
本発明は、ハウジングに挿入した端子金具が前記ハウジング内に装備された端子係止ランスにより抜け止めされるコネクタに関する。
【背景技術】
【０００２】
図８は、下記特許文献１に開示されたコネクタを示している。
このコネクタ１００は、端子金具１１０と、該端子金具１１０を収容保持するハウジング１２０と、を備えている。
【０００３】
端子金具１１０は、雌型の端子金具で、相手の雄端子金具が嵌合する角筒構造の嵌合接続部１１１と、電線の被覆部を固定する被覆加締め片１１２と、電線の導体に加締め付ける導体加締め片１１３と、を備えている。そして、端子金具１１０の外周部である嵌合接続部１１１の後端には、ハウジング１２０への挿入方向（図８の矢印Ｘ方向）と直交する方向（図８の矢印Ｙ方向）に凹んだ凹部１１４を備えている。
【０００４】
ハウジング１２０は、端子金具１１０が挿入される端子収容孔１２１と、端子係止ランス１２２と、を備える。
【０００５】
端子係止ランス１２２は、端子収容孔１２１に臨む位置において端子収容孔１２１に沿って延設された弾性片１２２ａと、端子収容孔１２１内に突出するように弾性片１２２ａの先端に突設された係止突起１２２ｂと、を備えている。
【０００６】
特許文献１のコネクタ１００の場合、端子金具１１０の端子収容孔１２１への挿入長が規定値に達した時に、係止突起１２２ｂが凹部１１４に係合することで、端子金具１１０の挿入方向とは逆方向への移動（即ち、抜け）が規制される。
【先行技術文献】
【特許文献】
【０００７】
【特許文献１】特開２０１０−１４０８０６号公報
【発明の概要】
【発明が解決しようとする課題】
【０００８】
ところが、上記のコネクタ１００の場合、一般的に、端子収容孔１２１への端子金具１１０の挿入を容易にするため、端子収容孔１２１と端子金具１１０との嵌合が隙間嵌めとなるように、端子収容孔１２１の内寸は、端子金具１１０の外寸よりも大きく設定されている。そのため、図８に示すように、弾性片１２２ａと嵌合接続部１１１の外周部との間には隙間ｓが残存する。そして、特許文献１のコネクタ１００の場合、端子金具１１０の抜け方向への移動は端子係止ランス１２２によって規制するが、端子金具１１０の挿入方向と直交する方向への移動を規制する手段は、特に設けていない。その結果、上記の隙間ｓが、端子金具１１０のガタつきを招く要因となった。
【０００９】
端子金具１１０のガタつきは、端子金具１１０の固定位置のバラツキを招き、端子金具１１０と相手の端子金具との嵌合接続を困難にするおそれがあった。
【００１０】
このような端子金具１１０のガタつきに起因した不都合の発生を防止する対策としては、前述の隙間ｓが最小限となるように、端子収容孔１２１の内寸と端子金具１１０の外寸との間の寸法公差を小さくすることが考えられる。しかし、寸法公差を小さくしても、完全にガタつきを無くすことはできない。また、端子金具１１０の加工誤差によっては、ハウジング１２０に対する端子金具１１０の挿入性が低下するおそれもあった。
【００１１】
そこで、本発明の目的は、上記課題を解消することに係り、ハウジングに対する端子金具の挿入性を低下させずに、ハウジングに挿入した端子金具の挿入方向と直交する方向へのガタつきを確実に防止することのできるコネクタを提供することにある。
【課題を解決するための手段】
【００１２】
本発明の前述した目的は、下記の構成により達成される。
（１）端子金具と、該端子金具を収容保持するハウジングと、を備え、
前記端子金具は、外周部に、前記ハウジングへの挿入方向と直交する方向に凹んだ凹部を備え、
前記ハウジングは、前記端子金具が挿入される端子収容孔と、端子係止ランスと、を備え、
前記端子係止ランスは、前記端子収容孔に臨む位置において前記端子収容孔に沿って延設された弾性片と、前記端子収容孔内に突出するように前記弾性片の先端に突設された係止突起と、を備えて、
前記端子金具の前記端子収容孔への挿入長が規定値に達した時に、前記係止突起が前記凹部に係合することで、前記端子金具の挿入方向とは逆方向への移動が規制されるコネクタであって、
前記弾性片は、前記端子収容孔に面すると共に前記端子金具の挿入方向と平行な平面である一外周面を備え、
前記弾性片の一外周面には、前記端子金具の外周部に摺接して、前記端子金具を前記端子係止ランスに対向する前記端子収容孔の内壁面に押圧する端子押圧突起が備えられ、
前記端子押圧突起は、前記端子金具の挿入方向に沿って前記係止突起と接続するように延設された凸条であり、
前記弾性片の一外周面からの前記端子押圧突起の突出高さは、前記係止突起に近づくにつれて徐々に大きくなり、前記係止突起との接続箇所での前記端子押圧突起の突出高さは、前記弾性片の一外周面からの前記係止突起の突出高さより小さいことを特徴とするコネクタ。
【００１４】
上記（１）の構成によれば、ハウジングの端子収容孔に挿入された端子金具は、端子係止ランスの外側面に備えられた端子押圧突起により、端子収容孔の内壁面に押圧されるため、端子収容孔と端子金具との嵌合が隙間嵌めであっても、端子金具のガタつきが発生しない。しかも、端子金具のガタつきを抑制するために隙間嵌めの寸法公差を小さくする必要がないため、端子金具の挿入性の低下を招くこともない。
【００１５】
即ち、上記（１）の構成によれば、ハウジングに対する端子金具の挿入性を低下させずに、ハウジングに挿入した端子金具の挿入方向と直交する方向へのガタつきを確実に防止することができる。
【００１６】
更に、上記（１）の構成によれば、端子押圧突起が端子収容孔に面した弾性片の一外周面に端子金具の挿入方向に沿って延設された凸条であるため、ハウジングの成形金型の型抜きが困難になることがなく、ハウジングの成形性の低下を防止することもできる。
【００１７】
また、端子押圧突起が端子金具の挿入方向に沿って所定の長さに渡って延設されていることで、端子押圧突起による押圧範囲を長く設定することができ、端子金具に傾きを招くことのない安定した押圧を行うことができる。
【発明の効果】
【００１８】
本発明によるコネクタによれば、ハウジングの端子収容孔に挿入された端子金具は、端子係止ランスの外側面に備えられた端子押圧突起により、端子収容孔の内壁面に押圧されるため、端子収容孔と端子金具との嵌合が隙間嵌めであっても、端子金具のガタつきが発生しない。しかも、端子金具のガタつきを抑制するために隙間嵌めの寸法公差を小さくする必要がないため、端子金具の挿入性の低下を招くこともない。
【００１９】
即ち、本発明によるコネクタによれば、ハウジングに対する端子金具の挿入性を低下させずに、ハウジングに挿入した端子金具の挿入方向と直交する方向へのガタつきを確実に防止することができる。
【００２０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２１】
【図１】本発明に係るコネクタの一実施形態の外観斜視図である。
【図２】一実施形態のコネクタの縦断面を示す斜視図である。
【図３】図２に示した端子収容孔内での端子間具の位置決め状態を示す拡大断面図である。
【図４】図３に示した端子係止ランスの拡大斜視図である。
【図５】図４に示した端子係止ランスの側面図である。
【図６】図４に示した端子係止ランスの平面図である。
【図７】端子係止ランスを、本実施形態における端子押圧突起が無い構造とした場合の端子金具の位置決め状態を示す拡大断面図である。
【図８】従来のコネクタの縦断面図である。
【発明を実施するための形態】
【００２２】
以下、本発明に係るコネクタの好適な実施形態について、図面を参照して詳細に説明する。
【００２３】
図１〜図６は本発明に係るコネクタの一実施形態を示したもので、図１は本発明の一実施形態のコネクタの外観斜視図、図２は一実施形態のコネクタの縦断面を示す斜視図、図３は図２に示した端子収容孔内での端子間具の位置決め状態を示す拡大断面図、図４は図３に示した端子係止ランスの拡大斜視図、図５は図４に示した端子係止ランスの側面図、図６は図４に示した端子係止ランスの平面図である。
【００２４】
この一実施形態のコネクタ１は、端子金具１０と、該端子金具１０を収容保持する樹脂製のハウジング２０と、を備えている。
【００２５】
端子金具１０は、雌型の端子金具で、図３に示すように、相手の雄端子金具が嵌合する角筒構造の嵌合接続部１１と、電線の被覆部を固定する被覆加締め片１２と、電線の導体に加締め付ける導体加締め片１３と、を備えている。そして、端子金具１０の外周部である嵌合接続部１１の底部１１ａには、ハウジング２０への挿入方向（図３の矢印Ｘ２方向）と直交する方向（図３の矢印Ｙ１方向）に凹んだ凹部１４を備えている。
【００２６】
本実施形態の場合、凹部１４は、嵌合接続部１１の底部１１ａに貫通形成された開口により、嵌合接続部１１内に連通する空所である。
【００２７】
ハウジング２０は、図２及び図３に示すように、端子金具１０が挿入される端子収容孔２１と、端子係止ランス２２と、を備えている。
【００２８】
端子収容孔２１は、端子金具１０との嵌合が隙間嵌めとなるように、内寸が、端子金具１０の外寸よりも大きく設定されている。
【００２９】
端子係止ランス２２は、図３に示すように、弾性片２２ａと、係止突起２２ｂと、端子押圧突起２２ｃと、を備えている。
【００３０】
弾性片２２ａは、図３に示すように、端子収容孔２１に臨む位置において端子収容孔２１に沿って延設された棒状片であり、先端（図３では、左端）側が端子金具１０の挿入方向と直交する方向に弾性変位可能な板ばねとして機能する。
【００３１】
係止突起２２ｂは、端子収容孔２１内に突出するように、弾性片２２ａの先端に突設された突起である。
【００３２】
本実施形態のコネクタ１の場合、端子金具１０の端子収容孔２１への挿入長が規定値に達した時に、図３に示したように、係止突起２２ｂが凹部１４に係合することで、端子金具１０の挿入方向とは逆方向への移動が規制される。
【００３３】
端子押圧突起２２ｃは、図４〜図６に示したように、端子収容孔２１に面した端子係止ランス２２の外側面に突設された突起である。本実施形態の場合、端子収容孔２１に面した弾性片２２ａの一外周面２２ａ１が、端子押圧突起２２ｃが突設される端子係止ランス２２の外側面となっている。また、本実施形態における端子押圧突起２２ｃは、端子金具１０の挿入方向に沿って所定の長さＬ（図６参照）に渡って延設された凸条に形成されている。
【００３４】
本実施形態の端子押圧突起２２ｃは、端子収容孔２１に挿入される嵌合接続部１１の外周部に摺接して、端子金具１０を端子収容孔２１の内壁面２１ａに押圧する。内壁面２１ａは、端子係止ランス２２に対向する端子収容孔２１の内壁面である。
【００３５】
図５に示す端子押圧突起２２ｃの突出高さＨは、端子押圧突起２２ｃが端子金具１０の底部に摺接すると、端子金具１０から端子押圧突起２２ｃに作用する押圧力で端子収容孔２１から退避する方向（図３の矢印Ｙ２方向）の弾性変位を弾性片２２ａに付与するように設定されている。更に、端子押圧突起２２ｃの突出高さＨは、図３の矢印Ｙ２方向に変位した弾性片２２ａの弾性反力が端子押圧突起２２ｃを介して端子金具１０の底部に作用して、端子金具１０が端子収容孔２１の内壁面２１ａに押圧された状態となるように、設定されている。
【００３６】
以上に説明した一実施形態のコネクタ１では、ハウジング２０の端子収容孔２１に挿入された端子金具１０は、図３に示したように、端子係止ランス２２の外側面に備えられた端子押圧突起２２ｃにより、端子収容孔２１の内壁面２１ａに押圧されるため、端子収容孔２１と端子金具１０との嵌合が隙間嵌めであっても、端子金具１０のガタつきが発生しない。
【００３７】
しかも、端子金具１０のガタつきを抑制するために隙間嵌めの寸法公差を小さくする必要がないため、端子金具１０の挿入性の低下を招くこともない。
【００３８】
即ち、一実施形態のコネクタ１の構成によれば、ハウジング２０に対する端子金具１０の挿入性を低下させずに、ハウジング２０に挿入した端子金具１０の挿入方向と直交する方向へのガタつきを確実に防止することができる。
【００３９】
また、一実施形態のコネクタ１の構成によれば、端子押圧突起２２ｃが、図４〜図６に示したように、端子収容孔２１に面した弾性片２２ａの一外周面２２ａ１に端子金具１０の挿入方向に沿って延設された凸条であるため、ハウジング２０の成形金型の型抜きが困難になることがなく、ハウジング２０の成形性の低下を防止することもできる。
【００４０】
また、図６に示したように、端子押圧突起２２ｃが端子金具１０の挿入方向に沿って所定の長さＬに渡って延設されていることで、端子押圧突起２２ｃによる押圧範囲を長く設定することができ、端子金具１０に傾きを招くことのない安定した押圧を行うことができる。
【００４１】
なお、本発明における端子押圧突起２２ｃの作用効果を明確にするために、図７に、比較例としてのコネクタ１Ａを示した。このコネクタ１Ａは、一実施形態で示したハウジング２０から端子押圧突起２２ｃを省いた構造のハウジング２０Ａを備えている。比較例におけるハウジング２０Ａは、端子係止ランス２２に端子押圧突起２２ｃを有していない点以外の構成は、一実施形態のハウジング２０と共通である。
【００４２】
端子金具１０と端子収容孔２１との嵌合が隙間嵌めのため、端子押圧突起２２ｃが装備されていない図７のハウジング２０Ａの場合は、端子係止ランス２２の係止突起２２ｂにより抜け止めされた端子金具１０の底部と係止突起２２ｂとの間には、寸法公差による隙間ｓが残存している。そして、この隙間ｓのために、端子金具１０の挿入方向と直交する方向へのガタつきを防止することができない。
従って、本発明における端子押圧突起２２ｃの有用性は顕著である。
【００４３】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４４】
例えば、端子押圧突起は、端子金具の挿入方向に沿って延在する１本の凸条ではなく、端子金具の挿入方向に所定のピッチで配列される複数の突起で構成するようにしても良い。
【００４５】
ここで、上述した本発明に係るコネクタの実施形態の特徴をそれぞれ以下［１］〜［２］に簡潔に纏めて列記する。
【００４６】
［１］  端子金具（１０）と、該端子金具（１０）を収容保持するハウジング（２０）と、を備え、
前記端子金具（１０）は、外周部に、前記ハウジング（２０）への挿入方向と直交する方向に凹んだ凹部（１４）を備え、
前記ハウジング（２０）は、前記端子金具（１０）が挿入される端子収容孔（２１）と、端子係止ランス（２２）と、を備え、
前記端子係止ランス（２２）は、前記端子収容孔（２１）に臨む位置において前記端子収容孔（２１）に沿って延設された弾性片（２２ａ）と、前記端子収容孔（２１）内に突出するように前記弾性片（２２ａ）の先端に突設された係止突起（２２ｂ）と、を備えて、
前記端子金具（１０）の前記端子収容孔（２１）への挿入長が規定値に達した時に、前記係止突起（２２ｂ）が前記凹部（１４）に係合することで、前記端子金具（１０）の挿入方向とは逆方向への移動が規制されるコネクタ（１）であって、
前記端子収容孔（２１）に面した前記端子係止ランス（２２）の外側面には、前記端子金具（１０）の外周部に摺接して、前記端子金具（１０）を前記端子係止ランス（２２）に対向する前記端子収容孔（２１）の内壁面（２１ａ）に押圧する端子押圧突起（２２ｃ）を備えたことを特徴とするコネクタ（１）。
【００４７】
［２］  前記端子押圧突起（２２ｃ）は、前記端子収容孔（２１）に面した前記弾性片（２２ａ）の一外周面（２２ａ１）に、前記端子金具（１０）の挿入方向に沿って所定の長さに渡って延設された凸条であることを特徴とする上記［１］に記載のコネクタ（１）。
【符号の説明】
【００４８】
１  コネクタ
１０  端子金具
１１  嵌合接続部
１４  凹部
２０  ハウジング
２１  端子収容孔
２１ａ  内壁面
２２  端子係止ランス
２２ａ  弾性片
２２ａ１  外周面
２２ｂ  係止突起
２２ｃ  端子押圧突起
【図１】
0005934584.tif 000002
【図２】
0005934584.tif 000003
【図３】
0005934584.tif 000004
【図４】
0005934584.tif 000005
【図５】
0005934584.tif 000006
【図６】
0005934584.tif 000007
【図７】
0005934584.tif 000008
【図８】
0005934584.tif 000009